(57)【要約】【課題】シートバックを後方へリクライニングさせた場合でも乗員の骨盤を確実に保持することが可能で着座安定性を向上させることができる車両用シートを得る。【解決手段】骨盤支持部材１８は、リクライニング中心１４よりもシート前方側に位置する仮想点を変位中心２６として設定されているため、骨盤支持部材１８がこの変位中心２６周りにシート後方へ回動すると、回動後の骨盤支持部材１８は、仮想位置（二点鎖線にて示す位置）よりも前方かつ下方へ変位する。このため、シートバック１６がリクライニング中心１４を回動中心として後方へリクライニングした際に、骨盤支持部材１８は乗員の骨盤Ｋに対応した位置になる（骨盤Ｋに対応した初期位置からズレることがない）。したがって、シートバック１６のリクライニング状態において骨盤支持部材１８の骨盤保持性が低下してしまうことがなく、着座安定性を向上させることができる。【選択図】図２
2010047166.tif 000002
【特許請求の範囲】
【請求項１】
乗員が着座するシートクッションと、
前記シートクッションに対しリクライニング中心を回動中心として前後にリクライニングするシートバックと、
前記シートクッションに着座した乗員の骨盤に対応して前記シートバックに設けられ、前記シートバックの前記リクライニング中心よりもシート前方側に位置する仮想点を変位中心として有して前記変位中心周りに回動可能とされ、前記変位中心周りにシート後方へ回動することで、前記シートバックの前記リクライニング中心周りに回動して変位した仮想位置よりも前方かつ下方へ変位する骨盤支持部材と、
を備えたことを特徴とする車両用シート。
【請求項２】
前記シートバックの前記リクライニング中心周りの前記リクライニングに連動させて前記骨盤支持部材を前記変位させる連動機構を備えた、
ことを特徴とする請求項１記載の車両用シート。
【発明の詳細な説明】
【技術分野】
【０００１】
本発明は、自動車等の車両に適用される車両用シートに関する。
【背景技術】
【０００２】
自動車等の車両に適用される車両用シートには、着座した乗員の着座性やサポート性を向上させるために、シートクッションに対しシートバックが前後にリクライニングするもの（所謂、リクライニングシート）が知られており、さらに、着座乗員の腰椎部分（腰部近傍）を特別に保持できるようにサポートプレートを備えたものも提案されている（例えば、特許文献１、特許文献２参照）。
【０００３】
この種の車両用シートでは、着座した乗員は腰椎部分（腰部近傍）が特別に保持されるため、サポート性や座り心地が向上し、疲労感も低減する。
【０００４】
ところで、このような従来のリクライニング式の車両用シートにおいて、サポート性を向上させるために、乗員の骨盤に対応させて単にサポートプレートを設けた場合に、シートバックを後方へリクライニングさせると、このサポートプレートがリクライニングするにつれて初期の骨盤対応位置からズレてしまい、骨盤を確実に保持できなくなってしまう欠点があった。
【０００５】
すなわち、シートバックはシートクッションに対し所定のリクライニング中心を回動中心として後方へリクライニングし、着座した乗員はこのリクライニングしたシートバックに沿うように上体が後方へ傾斜する。しかしながらこの場合、着座した乗員の上体傾斜中心（着座状態における乗員骨盤の回転中心）は、シートバックのリクライニング中心に対して、当然ながらクッション材や各部品の寸法分だけ前方側に離間している。このため、
シートバックがリクライニング中心を回動中心として後方へリクライニングした際に（すなわち、着座した乗員の上体がリクライニングしたシートバックに沿うように後方へ傾斜した状態となった際に）、前記サポートプレートが骨盤部分に対応せず離間した位置になってしまう（骨盤に対応した初期位置からズレてしまう）。このため、シートバックのリクライニング状態（後方傾斜状態）においてサポートプレートの骨盤保持性が低下してしまうことになる。
【０００６】
【特許文献１】特開平６−１３３８２８号公報
【特許文献２】特開２００２−３６０３７５号公報
【発明の開示】
【発明が解決しようとする課題】
【０００７】
本発明は上記事実を考慮し、シートバックを後方へリクライニングさせた場合でも乗員の骨盤を確実に保持することが可能で着座安定性を向上させることができる車両用シートを得ることが目的である。
【課題を解決するための手段】
【０００８】
請求項１に係る発明の車両用シートは、乗員が着座するシートクッションと、前記シートクッションに対しリクライニング中心を回動中心として前後にリクライニングするシートバックと、前記シートクッションに着座した乗員の骨盤に対応して前記シートバックに設けられ、前記シートバックの前記リクライニング中心よりもシート前方側に位置する仮想点を変位中心として有して前記変位中心周りに回動可能とされ、前記変位中心周りにシート後方へ回動することで、前記シートバックの前記リクライニング中心周りに回動して変位した仮想位置よりも前方かつ下方へ変位する骨盤支持部材と、を備えたことを特徴としている。
【０００９】
請求項１記載の車両用シートでは、着座した乗員の骨盤に対応してシートバックに骨盤支持部材が設けられており、しかも、この骨盤支持部材は、シートバックのリクライニング中心よりもシート前方側に位置する仮想点を変位中心として設定されてこの変位中心周りに回動する。すなわち、骨盤支持部材がこの変位中心周りにシート後方へ回動すると、回動後の骨盤支持部材は、仮にシートバックのリクライニング中心周りに回動して変位した仮想位置よりも前方かつ下方へ変位する。
【００１０】
したがって、シートバックがリクライニング中心を回動中心として後方へリクライニングした際に（すなわち、着座した乗員の上体がリクライニングしたシートバックに沿うように後方へ傾斜した状態となった際に）、骨盤支持部材は乗員の骨盤部分に対した位置になる（骨盤に対応した初期位置からズレることがない）。このため、シートバックのリクライニング状態（後方傾斜状態）において骨盤支持部材の骨盤保持性が低下してしまうことがなく、着座安定性を向上させることができる。
【００１１】
請求項２に係る発明の車両用シートは、請求項１記載の車両用シートにおいて、前記シートバックの前記リクライニング中心周りの前記リクライニングに連動させて前記骨盤支持部材を前記変位させる連動機構を備えた、ことを特徴としている。
【００１２】
請求項２記載の車両用シートでは、シートバックがリクライニング中心を回動中心として後方へリクライニングする際には、これに連動して、連動機構によって、骨盤支持部材が変位中心周りにシート後方へ回動して前方かつ下方へ変位する。
【００１３】
このように、シートバックのリクライニング動作と連動して骨盤支持部材を変位せせることができるため、煩雑な操作が不要で操作性が向上する。
【発明の効果】
【００１４】
請求項１に係る発明の車両用シートは、シートバックを後方へリクライニングさせた場合でも乗員の骨盤を確実に保持することが可能で着座安定性を向上させることができるという優れた効果を有している。
【００１５】
請求項２に係る発明の車両用シートは、請求項１に係る発明の車両用シートが有する優れた効果に加えて、煩雑な操作が不要で操作性が向上するという優れた効果を有している。
【発明を実施するための最良の形態】
【００１６】
以下、図１乃至図６を用いて、本発明の実施形態について説明する。なお、各図において、矢印ＦＲ方向がシート前方側であり、矢印ＲＥ方向がシート後方側である。
【００１７】
図１には、本発明の実施形態に係る車両用シート１０の主要構成部品と着座した乗員との対応関係が、模式的に側面図にて示されている。また、図２には、車両用シート１０の主要構成部品と着座した乗員との対応関係が、拡大した模式にて示されている。
【００１８】
この車両用シート１０は、乗員が着座するシートクッション１２と、このシートクッション１２に対しリクライニング中心１４を回動中心として前後にリクライニングするシートバック１６とを備えている。したがって、シートバック１６は、リクライニング中心１４を回動中心として後方へリクライニング可能であり、シートバック１６がリクライニング中心１４を回動中心として後方へリクライニングした際には（すなわち、シートクッション１２に着座した乗員の上体がリクライニングしたシートバック１６に沿うように後方へ傾斜した状態となった際には）、乗員の骨盤Ｋは、座骨結節Ｑを中心として後方へ傾斜移動することになる。
【００１９】
また、車両用シート１０は、骨盤支持部材１８を備えている。骨盤支持部材１８は、シートクッション１２に着座した乗員の骨盤Ｋに対応してシートバック１６に設けられている。図３に詳細に示す如く、骨盤支持部材１８は板状に形成されており、長手方向両端部からは支軸２０が突出している。支軸２０の一端部には、連動機構を構成する固定案内ブラケット２２が連係している。
【００２０】
固定案内ブラケット２２は、シートバック１６のリクライニング中心１４と同軸的に固定されており、さらに、円弧状のガイド溝２４が形成されている。このガイド溝２４内に骨盤支持部材１８の支軸２０が入り込んでいる。これにより、骨盤支持部材１８は、シートバック１６が後方へリクライニングした際には、支軸２０がガイド溝２４に案内されながらシートバック１６と共に後方へ回動する構成である。
【００２１】
しかもここで、図４（Ａ）及び図４（Ｂ）に示す如く、固定案内ブラケット２２のガイド溝２４は、シートバック１６のリクライニング中心１４よりもシート前方側に位置する仮想点Ｐを中心とした円弧状に形成されている。したがって、このガイド溝２４に案内される骨盤支持部材１８は、結果として、シートバック１６のリクライニング中心１４よりもシート前方側に位置する前記仮想点Ｐを変位中心２６として設定された構成となっており、この変位中心２６周りに回動する構成である。
【００２２】
これにより、シートバック１６が後方へリクライニングした際には、骨盤支持部材１８は、支軸２０がガイド溝２４に案内されることでシートバック１６と共に後方へ回動しつつ（換言すれば、変位中心２６周りにシート後方へ回動することで）、シートバック１６のリクライニング中心１４周りに仮に回動して変位した仮想位置（図５（Ａ）及び図５（Ｂ）に二点鎖線にて示す図示位置）よりも、前方かつ下方へ変位する。
【００２３】
以上の構成の骨盤支持部材１８は、支軸２０に連結されたスプリング２８によって常に上方へ付勢されている。
【００２４】
以下に、本実施形態の作用並びに効果について説明する。
【００２５】
上記構成の車両用シート１０では、着座した乗員の骨盤Ｋに対応してシートバック１６に骨盤支持部材１８が設けられており、しかも、この骨盤支持部材１８は、シートバック１６のリクライニング中心１４よりもシート前方側に位置する仮想点を変位中心２６として設定されてこの変位中心２６周りに回動する。
【００２６】
ここで、図４（Ａ）には、骨盤支持部材１８がシートバック１６と共に後方へ回動しつつ固定案内ブラケット２２のガイド溝２４に案内されて変位中心２６周りにシート後方へ変位した際の変位状態が側面図にて示されており、図４（Ｂ）には前記状態が模式的に示されている。また一方、図５（Ａ）には、従来例に係る固定案内ブラケット５０を適用した場合の（換言すれば、仮に骨盤支持部材１８がシートバック１６のリクライニング中心１４周りにそのまま回動した場合の）、骨盤支持部材１８の変位状態が側面図にて示されており、図５（Ｂ）には前記状態が模式的に示されている。
【００２７】
この固定案内ブラケット５０では、ガイド溝５２がシートバック１６のリクライニング中心１４を中心とした単なる円弧状に形成されている。したがって、このガイド溝５２に案内される骨盤支持部材１８は、単にシートバック１６のリクライニング中心１４周りに回動する(図５（Ｂ）図示状態)。したがって、図５（Ａ）及び図５（Ｂ）に実線にて示す如く通常位置にある骨盤支持部材１８が、リクライニング中心１４周りに単に回動すれば、図５（Ａ）及び図５（Ｂ）に二点鎖線にて示す如く単なる円移動をするに過ぎない。
【００２８】
したがって、この従来例に係る固定案内ブラケット５０を適用した場合には、図２に二点鎖線にて示す如く、シートバック１６がリクライニング中心１４を回動中心として後方へリクライニングした際に（すなわち、着座した乗員の上体がリクライニングしたシートバック１６に沿うように後方へ傾斜した状態となった際に）、骨盤支持部材１８が骨盤Ｋ部分に対応せず離間した位置になってしまう（骨盤Ｋに対応した初期位置からズレてしまう）。このため、シートバック１６のリクライニング状態（後方傾斜状態）において骨盤支持部材１８の骨盤保持性が低下してしまうことになる。
【００２９】
これに対し、本実施形態に係る車両用シート１０の骨盤支持部材１８では、リクライニング中心１４よりもシート前方側に位置する仮想点を変位中心２６として設定されているため、骨盤支持部材１８がこの変位中心２６周りにシート後方へ回動すると、回動後の骨盤支持部材１８は、図２にハッチングにて示すと共に図４（Ａ）及び図４（Ｂ）にそれぞれ示す如く、前述の如く仮にシートバック１６のリクライニング中心１４周りに回動して変位した仮想位置（図２、図５（Ａ）、及び図５（Ｂ）にそれぞれ二点鎖線にて示す位置）よりも、前方かつ下方へ変位する。
【００３０】
したがって、シートバック１６がリクライニング中心１４を回動中心として後方へリクライニングした際に（すなわち、着座した乗員の上体がリクライニングしたシートバック１６に沿うように後方へ傾斜した状態となった際に）、図２にハッチングにて示す如く、骨盤支持部材１８は乗員の骨盤Ｋに対応した位置になる（骨盤Ｋに対応した初期位置からズレることがない）。このため、シートバック１６のリクライニング状態（後方傾斜状態）において骨盤支持部材１８の骨盤保持性が低下してしまうことがなく、着座安定性を向上させることができる。
【００３１】
またさらに、シートバック１６がリクライニング中心１４を回動中心として後方へリクライニングする際には、これに連動して、連動機構を構成する固定案内ブラケット２２（ガイド溝２４）及び支軸２０によって、骨盤支持部材１８が変位中心２６周りにシート後方へ回動して前方かつ下方へ変位するため、シートバック１６のリクライニング動作と連動して骨盤支持部材１８を変位せせることができるため、煩雑な操作が不要で操作性が向上する。
【００３２】
なお、前述した実施形態においては、連動機構として固定案内ブラケット２２を適用した例を示したが、連動機構としてはこれに限らず、他の構成であってもよい。
【００３３】
例えば、図６（Ａ）乃至図６（Ｃ）に示す如く、移動案内ブラケット３２を適用してもよい。
【００３４】
この移動案内ブラケット３２は、シートバック１６のリクライニング中心１４と同軸的でかつシートバック１６と一体に回転するように設けられており、さらに、円弧状のガイド溝３４が形成されている。このガイド溝３４内に、骨盤支持部材１８の支軸２０が入り込んでいる。これにより、シートバック１６が移動案内ブラケット３２と共に後方へリクライニングした際には、骨盤支持部材１８は、支軸２０がガイド溝３４に案内されながら次第に後方へ回動する構成である。
【００３５】
しかもここで、移動案内ブラケット３２のガイド溝３４は、案内する骨盤支持部材１８がシートバック１６のリクライニング中心１４よりもシート前方側に位置する仮想点を変位中心として回動して変位するように、その円弧形状が設定された構成となっている。
【００３６】
上記構成の移動案内ブラケット３２を適用した場合には、シートバック１６が通常状態では、図６（Ａ）に示す如く、骨盤支持部材１８の支軸２０がガイド溝３４の後方側端部に位置している。
【００３７】
シートバック１６がリクライニング中心１４を回動中心として後方へリクライニングした際には、シートバック１６と共に移動案内ブラケット３２がリクライニング中心１４周りに回動し、支軸２０（すなわち、骨盤支持部材１８）がガイド溝３４に沿って次第に移動される（図６（Ｂ）図示状態）。
【００３８】
シートバック１６がリクライニング中心１４を回動中心として後方へ最もリクライニングすると（すなわち、着座した乗員の上体がリクライニングしたシートバック１６に沿うように後方へ傾斜した状態となると）、図６（Ｃ）に示す如く、骨盤支持部材１８の支軸２０がガイド溝３４の前方側端部に位置して、骨盤支持部材１８は乗員の骨盤Ｋに対応した位置になる。
【００３９】
このように、この移動案内ブラケット３２を適用した場合であっても、シートバック１６がリクライニング中心１４を回動中心として後方へリクライニングした際に（すなわち、着座した乗員の上体がリクライニングしたシートバック１６に沿うように後方へ傾斜した状態となった際に）、骨盤支持部材１８は乗員の骨盤Ｋに対応した位置になり、骨盤Ｋに対応した初期位置からズレることがない。
【００４０】
したがって、シートバック１６のリクライニング状態（後方傾斜状態）において骨盤支持部材１８の骨盤保持性が低下してしまうことがなく、着座安定性を向上させることができ、前述した実施形態に係る固定案内ブラケット２２と同様の作用効果を得ることができる。
【００４１】
なお、前述した実施形態においては、車両用シート１０が固定案内ブラケット２２等の連動機構を備えており、シートバック１６が後方へリクライニングした際には、骨盤支持部材１８がシートバック１６と共に連動して変位する構成としたが、本発明はこれに限らず、当該連動機構を省略して、骨盤支持部材１８を必要に応じて手動により変位させる構成としてもよい。
【００４２】
この場合であっても、前述した実施形態と同様の作用効果を得ることができる。
【図面の簡単な説明】
【００４３】
【図１】本発明の実施形態に係る車両用シートの主要構成部品と着座した乗員との対応関係を模式的に示す側面図である。
【図２】本発明の実施形態に係る車両用シートの主要構成部品と着座した乗員との対応関係を模式的に示す図１の部分拡大図である。
【図３】本発明の実施形態に係る車両用シートの骨盤支持部材及び周辺部品の構成を示す斜視図である。
【図４】本発明の実施形態に係る車両用シートの骨盤支持部材の変位状態を示し、（Ａ）は側面図であり、（Ｂ）は（Ａ）に対応した模式図である。
【図５】従来例に係る骨盤支持部材の変位状態を示し、（Ａ）は側面図であり、（Ｂ）は（Ａ）に対応した模式図である。
【図６】本発明の変形例に係る移動案内ブラケットを適用した場合における骨盤支持部材の変位状態を示す側面図である。
【符号の説明】
【００４４】
１０    車両用シート
１２    シートクッション
１４    リクライニング中心
１６    シートバック
１８    骨盤支持部材
２０    支軸（連動機構）
２２    固定案内ブラケット（連動機構）
２４    ガイド溝（連動機構）
２６    変位中心
Ｋ      骨盤
Ｐ      仮想点
【図１】
2010047166.tif 000003
【図２】
2010047166.tif 000004
【図３】
2010047166.tif 000005
【図４】
2010047166.tif 000006
【図５】
2010047166.tif 000007
【図６】
2010047166.tif 000008